(57)【要約】　【課題】　本発明は、補助吸込み体として棚用ブラシと隙間ノズルとを備えたものであって、これらがコンパクト且つ汚れの目立たない状態で使用者の手元に取り付けることのできる使用勝手のよい電気掃除機を提供することを目的とする。　【解決手段】　本発明の電気掃除機は、通風路となる内パイプ４１とノズル体４２と筒体の一端縁に沿って毛束が植設されたブラシ体４３と内パイプ４１の外側面を覆うパイプカバー４４とから成る補助吸込み体４を備えている。該補助吸込み体４では、ノズル体４２及びブラシ体４３ｈが内パイプ４１の外側に嵌装されて内パイプ４１に対して同一方向に摺動し、それぞれパイプカバー４４から出没する。【選択図】　図８
2004121879.tif 000002
【特許請求の範囲】
【請求項１】
　集塵部及び電動送風機を内蔵する掃除機本体と該掃除機本体に一端が接続されたホースと該ホースの他端に設けられていて内部に通風路を有し把手が形成された手元パイプと該手元パイプに一端が接続される延長管と該延長管の他端に接続され床面のゴミを吸い込む吸込み体とを備えた電気掃除機において、
　内部に通風路を有していてその一端側でノズル体とブラシ体とを同一方向に出没するように一体的に取り付けた補助吸込み体を備え、
　前記補助吸込み体は、一端が前記手元パイプに挿入され、他端には前記延長管が挿入される内パイプと、該内パイプの外側面を覆うパイプカバーと、スライドボタンが設けられた前記ノズル体と、筒体の一端縁に沿って毛束が植設されたものであってスライドボタンが設けられた前記ブラシ体とから成り、前記ノズル体及び前記ブラシ体は前記内パイプの外側に嵌装されていて前記スライドボタンの操作により前記内パイプに対して摺動し、
前記ノズル体は筒状の本体部と該本体部の一端側に設けられていて前記本体部とそれぞれ一体となった部分で屈曲可能な２つの可動部とから成るものであり、前記各可動部は前記内パイプより突出することにより互いの側縁で密接するように屈曲してノズルを形成することを特徴とする電気掃除機。
【請求項２】
　前記補助吸込み体は前記手元パイプと前記延長管との間又は前記延長管と前記吸込み体との間に接続できることを特徴とする請求項１に記載の電気掃除機。
【請求項３】
　前記補助吸い込み体は、前記内パイプの一端が前記手元パイプに挿入され、他端に前記延長管が挿入されている状態から、
　前記延長管を引き抜いた状態と、
　前記手元パイプと前記延長管から引き抜いて、該手元パイプに接続した該延長管の先端に取り付けた状態とを選択して使用できることを特徴とする請求項１又は請求項２に記載の電気掃除機。
【請求項４】
　前記ノズル体では前記各可動部を屈曲させるために前記本体部と前記各可動部とが一体となった部分に弾性部材が設けられていることを特徴とする請求項１〜請求項３のいずれかに記載の電気掃除機。
【発明の詳細な説明】
【技術分野】
【０００１】
　本発明は、床面のゴミを吸い込むための吸込み体のほかに隙間ノズルや棚用ブラシといった補助吸込み体を備えた電気掃除機に関するものである。
【背景技術】
【０００２】
　一般的なキャニスター型電気掃除機では、集塵部や電動送風機を備えた掃除機本体にホース及び延長管が接続され、その先端には床面のゴミを吸い込むための吸込み体が取り付けられる。また、隙間や棚面など前記吸込み体を用いて十分に掃除できないところには補助吸込み体が用いられる。
【０００３】
　例えば、特許文献１には、筒体の一端縁に沿って毛束が植設されていて該ブラシ部で掃いたゴミを吸引する棚用ブラシが補助吸込み体として開示されている。また、特許文献２には、ナイフ型ブラシ、毛ブラシ、及びカーペット用ブラシを一体に構成した補助吸込み体が開示されている。
【０００４】
　しかしながら、上記特許文献１は棚用ブラシについて開示されているだけで、隙間などの狭いところのゴミを吸引するのに効果的な隙間ノズルについては開示されていない。
【０００５】
　また、特許文献２の補助吸込み体は、ナイフ型ブラシに対して毛束ブラシ及びカーペット用ブラシがスライド可能に一体化したものであり、このうちの１つだけを用いるためにはそれぞれのブラシを操作して先端に位置させる必要がある。従って、構成や操作が複雑であった。
【０００６】
　さらに、これらの補助吸込み体では、使用しないときに延長管など他の部材に取り付けておく構成について開示されていない。故に、使用したいときにすぐに使用者の手元にないことが多く不便であった。
【０００７】
　補助吸込み体を他の部材などに取り付けておく構成については、特許文献３及び特許文献４に開示されている。しかしながら、前者では延長管に取り付けられた隙間ノズルや棚用ブラシが邪魔になって作業しにくいものであった。また、隙間ノズルの先端や棚用ブラシのブラシ部といった汚れ部分が露出していて清潔ではなかった。後者は通風路内に隙間ノズルを挿入するものなので、その部分にゴミが詰まったり、径が小さくなることで電動送風機の風圧が損なわれていた。
【特許文献１】特開平８−１９１７８２号公報
【特許文献２】特開平８−１９２０６１号公報
【特許文献３】特開昭５３−６６８６１号公報
【特許文献４】特開平１−６９４５４号公報
【発明の開示】
【発明が解決しようとする課題】
【０００８】
　本発明は上記課題をかんがみ、補助吸込み体として棚用ブラシと隙間ノズルとを備えたものであって、これらがコンパクト且つ汚れの目立たない状態で使用者の手元に取り付けることのできる使用勝手のよい電気掃除機を提供することを目的とする。
【課題を解決するための手段】
【０００９】
　上記目的を達成するために、請求項１の電気掃除機は、集塵部及び電動送風機を内蔵する掃除機本体と、該掃除機本体に一端が接続されたホースと、該ホースの他端に設けられていて内部に通風路を有し把手が形成された手元パイプと、該手元パイプに一端が接続される延長管と、該延長管の他端に接続され床面のゴミを吸い込む吸込み体とを備えた電気掃除機において、内部に通風路を有していてその一端側でノズル体とブラシ体とを同一方向に出没するように一体的に取り付けた補助吸込み体を備え、補助吸込み体は、一端が手元パイプに挿入され、他端には延長管が挿入される内パイプと、該内パイプの外側面を覆うパイプカバーと、スライドボタンが設けられたノズル体と、筒体の一端縁に沿って毛束が植設されたものであってスライドボタンが設けられたブラシ体とから成り、ノズル体及びブラシ体は内パイプの外側に嵌装されていてスライドボタンの操作により内パイプに対して摺動し、ノズル体は筒状の本体部と該本体部の一端側に設けられていて本体部とそれぞれ一体となった部分で屈曲可能な２つの可動部とから成るものであり、各可動部は内パイプより突出することにより互いの側縁で密接するように屈曲してノズルを形成することを特徴とする。
【００１０】
　上記構成によると、内パイプの外側に嵌装されたノズル体及びブラシ体はパイプカバー内に収納されている。スライドボタンを操作してノズル体を一方向に摺動させると、ノズル体はパイプカバーから突出し、該補助吸込み体は隙間ノズルとなる。同様に、スライドボタンを操作してブラシ体を同一方向に摺動させると、ブラシ体がパイプカバーから突出し、該補助吸込み体は棚用ブラシとなる。また、補助吸込み体はノズル体の本体部内に内パイプが挿入された構成であることから、本体部に対して屈曲可能な可動部は内部に挿入された内パイプの側面に押し広げられノズル体を形成していない。
【００１１】
　請求項２の電気掃除機は、請求項１に記載の電気掃除機において、補助吸込み体は手元パイプと延長管との間、又は延長管と吸込み体との間に接続できることを特徴とする。つまり、吸込み体を用いて掃除を行う場合、ホースの手元パイプに延長管及び補助吸込み体を介して吸込み体を接続することができる。
【００１２】
　請求項３の電気掃除機は、請求項１又は請求項２に記載の電気掃除機において、補助吸込み体は、内パイプの一端が手元パイプに挿入され、他端に延長管が挿入されている状態から、延長管を引き抜いた状態と、手元パイプと延長管から引き抜いて、該手元パイプに接続した該延長管の先端に取り付けた状態とをセンタ機して使用できることを特徴とする。
【００１３】
　上記構成によると、補助吸込み体を手元パイプと延長管との間、及び延長管と吸込み体との間のいずれの位置に取り付ける場合も、補助吸込み体は使用者の手元に取り付けられているので、使用したいときにはすぐに用いることができる。
【００１４】
　請求項４の電気掃除機は、請求項１乃至請求項３のいずれかに記載の電気掃除機において、ノズル体は各可動部を屈曲させるために本体部と各可動部とが一体となった部分に弾性部材が設けられていることを特徴とする。ノズル体がスライドボタンの操作によりパイプカバーから突出するように摺動させられると、可動部を内側から押し広げていた内パイプの支持が解消する。このとき、上記弾性部材によって各可動部は屈曲させられ、互いの側縁で密接してノズルを形成する。
【発明の効果】
【００１５】
　以上説明したように、請求項１の電気掃除機ではノズル体とブラシ体とが一体的に構成された補助吸込み体を備えているので、隙間や棚面などの掃除に便利である。また、これらが一体的に構成されていることからコンパクトとなっている。また、ノズル体やブラシ体をスライドさせるだけでよいことから簡単な操作でノズルとブラシの切り替えを行うことができる。さらに、ノズル体とブラシ体とが出没することからノズル体の先端やブラシ体の毛束といった汚れの部分が露出しない。故に、使用者に触れることがなく清潔に使用できる。また、補助吸込み体のパイプカバー内に収納されたノズル体はノズル形状を成していない。故に、従来技術のようにノズルの部分にゴミが詰まったり、径が小さくなって電動送風機の風圧が損なわれるといった不都合がない。
【００１６】
　請求項２の電気掃除機は、補助吸込み体は通風路を構成する一つの部材として手元パイプや延長管に接続することができる。故に、吸込み体を用いて掃除を行っているときも常に使用者の手元に在り、該補助吸込み体を使用したいときにはすぐに用いることができて便利である。
【００１７】
　請求項３の電気掃除機では、補助吸込み体を手元パイプに接続する場合と延長管に接続する場合のいずれにおいても、補助吸込み体は使用者の手元に取り付けられているので、使用したいときにはすぐに用いることができる。
【００１８】
　請求項４の電気掃除機では、補助吸込み体のパイプカバー内でノズル体の先端が分解してノズル形状を成していなくても、摺動させると弾性部材によって自然にノズル形状となる。故に、ノズルを形成するために特に操作を必要とせず、また構成も簡単である。
【発明を実施するための最良の形態】
【００１９】
　以下、本発明に係る実施形態を図面に従って説明する。
【００２０】
　先ず、第１実施形態について説明する。図１は本実施形態における電気掃除機の構成図である。１は図示しない集塵部及び電動送風機を備えた掃除機本体、２は一端が掃除機本体に接続され、他端には手元パイプ３が設けられたホースである。
【００２１】
　３ａは手元パイプ３に形成された把手であり、使用者は該把手３ａを掴んで作業を行う。手元パイプ３には補助吸込み体４を介して延長管５が接続されており、また延長管５の先端には床面のゴミを吸い込むための吸込み体６が接続されている。
【００２２】
　図２は上記補助吸込み体４の分解斜視図である。該補助吸込み体４は内パイプ４１、ノズル体４２、ブラシ体４３、及びパイプカバー４４から成り、内パイプ４１の外側にノズル体４２及びブラシ体４３とパイプカバー４４とを順に嵌装したものである。
【００２３】
　各部材の構成を詳細に説明する。内パイプ４１はその一端が手元パイプ３に挿入され、他端には延長管５が挿入されるものである。故に、前記電動送風機によって生じる空気流がその内部を流れる。
【００２４】
　ノズル体４２は、円筒状の本体部４２ａと該本体部４２ａの延長管５側の端部に設けられた２つの可動部４２ｂ、４２ｂ′から成る。本体部４２ａの側面にはスライドボタン４２ｃ、４２ｃ′が２つ突出しており、これらスライドボタン４２ｃ、４２ｃ′にはそれぞれ突起状の係止部４２ｇが近接して設けられている。尚、スライドボタン４２ｃ′に近接する係止部は図示していない。
【００２５】
　図３（ａ）、（ｂ）はノズル体４２の軸方向での断面図であり、同図（ａ）はノズル体４２の図２の状態を示している。また、図４は図３（ａ）中の円Ｓ内を拡大して示した図である。図４に示すように、可動部４２ｂは本体部４２ａと一部で一体となっている。その境には両面に溝４２ｄが形成されており、可動部４２ｂは本体部４２ａに対して屈曲しやすくなっている。
【００２６】
　本体部４２ａと可動部４２ｂの外側面にはそれぞれバネ保持部４２ｅが形成されており、板バネ４２ｆは該バネ保持部４２ｅに両端が留められ本体部４２ａと可動部４２ｂとの間に渡されている。この板バネ４２ｆは若干屈曲した状態になっており、可動部４２ｂを図３（ａ）中矢印Ａ方向に付勢する。尚、可動部４２ｂ′についても同様の構成である。
【００２７】
　図３（ｂ）は、可動部４２ｂ、４２ｂ′が同図（ａ）の状態から板バネ４２ｆの弾性力により矢印Ａ方向に屈曲して閉じた状態を示している。可動部４２ｂ、４２ｂ′が閉じると、可動部４２ｂ、４２ｂ′は互いの側縁と本体部４２ａの周縁とで密接してノズルを形成する。
【００２８】
　また、図２に示すように、ブラシ体４３には筒体における延長管５側の端部の周縁に沿って毛束が植設されている（ブラシ部４３ａ）。該筒体の側面における手元パイプ３側にはスライドボタン４３ｂ、４３ｂ′が２つ突出しており、これらスライドボタン４３ｂ、４３ｂ′にはそれぞれ突起状の係止部４３ｃ、４３ｃ′が近接して設けられている。
【００２９】
　また、パイプカバー４４は、内部に内パイプ４１が挿入されたノズル体４２及びブラシ体４３をさらにその外側から嵌装するものである。これによって、パイプカバー４４内に内パイプ４１の延長管５側の端部とノズル体４２及びブラシ体４３が収納される。また、内パイプ４１の手元パイプ３側の端部はパイプカバー４４より突出し、パイプカバー４４の手元パイプ３側の端部に形成された端面が前記突出した内パイプ４１の側面に接着などによって固定される。
【００３０】
　パイプカバー４４の側面には、スライド穴及び穴（図２中、一部のスライド穴４４ａ、４４ｂ、４４ｂ′及び穴４４ｅ、４４ｅ′、４４ｆ、４４ｆ′を図示）が形成されている。これらに上記ノズル体４２及びブラシ体４３のスライドボタン及び係止部（図２中、スライドボタン４２ｃ、４２ｃ′、４３ｂ、４３ｂ′及び一部の係止部４２ｇ、４３ｃ、４３ｃ′を図示）が嵌合する。
【００３１】
　図５は、補助吸込み体４を延長管５（図２参照）側の端部から見た図である。スライドボタン４２ｃ、４２ｃ′、４３ｂ、４３ｂ′と係止部４２ｇ、４２ｇ′、４３ｃ、４３ｃ′とが、上記スライド穴及び穴を介してパイプカバー４４の側面より突出している。
【００３２】
　図６（ａ）、（ｂ）はパイプカバー４４の側面の一部を示しており、図５中矢印Ｂ方向と該矢印Ｂ方向のほぼ反対側にあたる矢印Ｂ′方向からそれぞれ見たところである。尚、図中右側が手元パイプ３側になる。同図（ａ）に示すように、パイプカバー４４の側面には軸方向に沿ってスライド穴４４ａが形成されており、ノズル体４２のスライドボタン４２ｃが嵌合している。
【００３３】
　また、該スライド穴４４ａの両端にはそれぞれ穴４４ｃ、４４ｃ′が形成されている。ここでは、スライド穴４４ａの手元パイプ３側の端部にスライドボタン４２ｃが位置していることから、ノズル体４２の係止部４２ｇは穴４４ｃに嵌合している。
【００３４】
　上記スライド穴４４ａに近接した位置には該スライド穴４４ａよりも短くて平行に延びるスライド穴４４ｂが形成されており、ブラシ体４３のスライドボタン４３ｂが嵌合している。また、該スライド穴４４ｂの両端にはそれぞれ穴４４ｅ、４４ｅ′が形成されている。ここでは、スライド穴４４ｂの手元パイプ３側の端部にスライドボタン４３ｂが位置していることから、ブラシ体４３の係止部４３ｃは穴４４ｅに嵌合している。
【００３５】
　また、図６（ｂ）に示すように、パイプカバー４４の側面におけるほぼ反対側の位置には、上記スライド穴４４ａ、４４ｂ及び穴４４ｃ、４４ｃ′、４４ｅ、４４ｅ′と同じ構成のスライド穴４４ａ′、４４ｂ′及び穴４４ｄ、４４ｄ′、４４ｆ、４４ｆ′が形成されている。そして、これらのスライド穴４４ａ′、４４ｂ′と穴４４ｄ、４４ｆ又は４４ｄ′、４４ｆ′には、同様にスライドボタン４２ｃ′、４３ｂ′と係止部４２ｇ′、４３ｃ′がそれぞれ嵌合する。
【００３６】
　上述した構成の補助吸込み体４の使用について説明する。図１に示すように、該補助吸込み体４は手元パイプ３と延長管５との間に接続されるものであり、この状態で吸込み体６による掃除を行うことができる。そして、補助吸込み体４を用いたければ延長管５を引き抜くか、手元パイプ３に接続した延長管５の先端に取り付ければよい。ここでは、延長管５を引き抜いて用いるとする。
【００３７】
　尚、吸込み体６の使用時における補助吸込み体４の取付けについては、図７に示すように延長管５と吸込み体６との間に接続してもよい。図１及び図７に示すいずれの場合も、補助吸込み体４は使用者の手元に取り付けられているので、使用したいときにはすぐに用いることができる。そのうえ、手元パイプ３や延長管５と同様に通風路を構成する一つの部材となっていることから邪魔にならない。
【００３８】
　補助吸込み体４を隙間ノズルとして使用する場合について説明する。図８は図５におけるＣ−Ｃ′線での断面図であり、内パイプ４１から延長管５が引き抜かれている。このとき、ノズル体４２内には内パイプ４１が位置していることから、ノズル体４２の可動部４２ｂ、４２ｂ′は内パイプ４１の側面によって内側から押し広げられており、ノズルを形成していない。
【００３９】
　同時に、ノズル体４２のスライドボタン４２ｃ、４２ｃ′はスライド穴４４ａ、４４ａ′内の手元パイプ３側の端部に位置している。従って、図６（ａ）、（ｂ）に示すように、穴４４ｃ、４４ｄにノズル体４２の係止部４２ｇ、４２ｇ′が嵌合しており、この嵌合によってノズル体４２は係止されている。
【００４０】
　この状態から、先ずスライドボタン４２ｃ、４２ｃ′をやや押圧して、係止部４２ｇ、４２ｇ′と穴４４ｃ、４４ｄとの嵌合を解消させる。そして、スライドボタン４２ｃ、４２ｃ′をスライド穴４４ａ、４４ａ′の他方の端部に移動させる。これによって、係止部４２ｇ、４２ｇ′もパイプカバー４４内で移動し、穴４４ｃ′、４４ｄ′に嵌合する。
【００４１】
　図９は、図８の状態からノズル体４２が移動してパイプカバー４４より突出したところを示した断面図である。ノズル体４２が移動したことで可動部４２ｂ、４２ｂ′に対する内パイプ４１の支持は解消され、可動部４２ｂ、４２ｂ′は板バネ４２ｆの弾性力のために閉じてノズルを形成する。
【００４２】
　使用者は、パイプカバー４４より突出したノズル体４２の先端で隙間など狭いところのゴミを吸引する。また、吸引されたゴミは内パイプ４１より手元パイプ３へ送られる。このとき、ノズル体４２の係止部４２ｇ、４２ｇ′は穴４４ｃ′、４４ｄ′に嵌合しているので、ノズル体４２は係止されて力がかかってもパイプカバー４４内に埋没しない。
【００４３】
　また、ノズル体４２をパイプカバー４４内に収納するときも同様に、係止部４２ｇ、４２ｇ′の嵌合を解消した後にスライドボタン４２ｃ、４２ｃ′を移動させるとよい。
【００４４】
　次に、補助吸込み体４を棚用ブラシとして使用する場合について説明する。図１０は図５におけるＤ−Ｄ′線での断面図である。このとき、ブラシ体４３はパイプカバー４４内に収納されており、スライドボタン４３ｂ、４３ｂ′はスライド穴４４ｂ、４４ｂ′内の手元パイプ３側の端部に位置している。従って、図６（ａ）、（ｂ）に示すように、穴４４ｅ、４４ｆにブラシ体４３の係止部４３ｃ、４３ｃ′が嵌合しており、この嵌合によってブラシ体４３は係止されている。
【００４５】
　この状態から、上述したスライドボタン４２ｃ、４２ｃ′と同様にして、スライドボタン４３ｂ、４３ｂ′をスライド穴４４ｂ、４４ｂ′の他方の端部に移動させる。これに伴って、係止部４３ｃ、４３ｃ′は穴４４ｅ′、４４ｆ′に嵌合する。
【００４６】
　図１１は図１０の状態からブラシ体４３が移動してパイプカバー４４より突出したところを示した断面図である。使用者はパイプカバー４４より突出したブラシ部４３ａで棚面などを掃き、掃かれたゴミは内パイプ４１で吸引されて手元パイプ３へ送られる。このとき、ブラシ体４３の係止部４３ｃ、４３ｃ′は穴４４ｅ′、４４ｆ′に嵌合しているので、ブラシ体４３は係止されて力がかかってもパイプカバー４４内に埋没しない。
【００４７】
　また、ブラシ体４３をパイプカバー４４内に収納するときも同様に、係止部４３ｃ、４３ｃ′の嵌合を解消した後にスライドボタン４３ｂ、４３ｂ′を移動させる。
【００４８】
　上述したように、本実施形態の電気掃除機は、隙間ノズルと棚用ブラシの両方に用いることができる補助吸込み体４を備えていることから、非常に便利で且つコンパクトである。また、該補助吸込み体４はノズル体４２とブラシ体４３とを切り替える構成及びその操作が簡単である。
【００４９】
　さらに、ノズル体４２の先端やブラシ体４３のブラシ部４３ａが露出するものでないから手に触れて汚れるといった不都合はない。また、パイプカバー４４内のノズル体４２はノズル形状を成さないから、従来技術のようにゴミが詰まったり風圧が損なわれたりしない。
【００５０】
　次に、第２実施形態について説明する。この電気掃除機は掃除機本体、ホース、延長管、及び吸込み体から成る一般的な構成において、隙間ノズル及び棚用ブラシを保持部材を介して延長管に取り付けたものである。
【００５１】
　図１２は上記保持部材の断面図であり、図１３はその下面図である。該保持部材７は共に筒体である第１保持部７１及び第２保持部７２と、該第２保持部７２内に形成された第３保持部７３から成る。第１保持部７１は矩形状の薄板を筒型にしたものであって、その一端は第２保持部７２の側面と一体になっており、自由端となっている他端は前記一端とネジ止めされている（図１３中、ネジ８）。
【００５２】
　第２保持部である筒体７２の内部には、第３保持部７３として軸方向に垂直な隔壁７３１が設けられており、第２保持部７２内を隙間ノズル保持部７２ａと棚用ブラシ保持部７２ｂとに隔てている。該隔壁７３１の中央は円筒状となって棚用ブラシ保持部７２ｂ側へ延びており（円筒部７３２）、隙間ノズル保持部７２ａと棚用ブラシ保持部７２ｂとを連通している。
【００５３】
　また、第２保持部７２の棚用ブラシ保持部７２ｂ側の内壁には、軸方向と平行に延びるリブ７２１が四方に設けられている。該リブ７２１の端部は、第２保持部７２の棚用ブラシ保持部７２ｂ側の端部よりも内側に入った位置にとどまっている。
【００５４】
　図１４は上記保持部材７を用いた状態を示す断面図である。保持部材７は、第１保持部７１でネジ止めにより延長管５を挟着して固定されている。
【００５５】
　図１４に示すように、隙間ノズル９は先細り状の筒体であり、棚用ブラシ１０は筒体１０ａの一端の周縁に毛束を植設したものである（ブラシ部１０ｂ）。これらは、吸込み体の代わりに電気掃除機の延長管の先端や手元パイプに接続することができる。
【００５６】
　上記棚用ブラシ１０は、第２保持部７２の棚用ブラシ保持部７２ｂ（図１２参照）にブラシ部１０ａ側から挿入され、第２保持部７２の内側面と棚用ブラシ１０の筒体１０ａの外側面とが密接して保持される。このとき、棚用ブラシ１０は延長管５の長手方向と平行に位置する。また、棚用ブラシ１０は、棚用ブラシ保持部７２ｂのリブ７２１の端面と、ブラシ部１０ａが植設されている筒体１０ａの端面とが当接することによりそれ以上挿入されない。
【００５７】
　上記隙間ノズル９は、第２保持部７２の隙間ノズル保持部７２ａ（図１２参照）に先端側から挿入され、該先端はさらに第３保持部７３の円筒部７３２内に挿入される。そして、円筒部７３２の内側面と隙間ノズル９の外側面とが密接して保持される。このとき、隙間ノズル９の先端は棚用ブラシ１０の筒体１０ａ内に達している。
【００５８】
　上述したように、本実施形態の電気掃除機は、隙間ノズルと棚用ブラシの両方を備えているので非常に便利である。また、これらの補助吸込み体９、１０は保持部材７によって使用者の手元に取り付けられているので、使用したいときにはすぐに用いることができる。
【００５９】
　そのうえ、隙間ノズル９はその一部が延長管５の長手方向と平行に位置する棚用ブラシ１０内に挿入された状態で保持されているので、全体として延長管５の長手方向に極力短くなって保持されており、コンパクトで邪魔にならない。さらに、隙間ノズル９の先端や棚用ブラシ１０のブラシ部１０ａが露出するものでないから手に触れて汚れるといった不都合はない。
【図面の簡単な説明】
【００６０】
【図１】本発明に係る第１実施形態の電気掃除機を示す構成図である。
【図２】第１実施形態の補助吸込み体の分解斜視図である。
【図３】第１実施形態のノズル体の断面図である。
【図４】図３（ａ）中の円Ｓ内の拡大図である。
【図５】第１実施形態の補助吸込み体を側方から見た図である。
【図６】第１実施形態の補助吸込み体を（ａ）図５中の矢印Ｂ方向から見た図、及び（ｂ）図５中の矢印Ｂ′方向から見た図である。
【図７】第１実施形態の補助吸込み体における他の接続形態を示す電気掃除機の構成図である。
【図８】図５中のＣ−Ｃ′線での断面図である。
【図９】図８においてノズル体が移動した状態を示す断面図である。
【図１０】図５中のＤ−Ｄ′線での断面図である。
【図１１】図１０においてブラシ体が移動した状態を示す断面図である。
【図１２】本発明に係る第２実施形態の電気掃除機に備えられる保持部材の断面図である。
【図１３】第２実施形態の保持部材の下面図である。
【図１４】第２実施形態の保持部材に隙間ノズル及び棚用ブラシを取り付けた状態を示す断面図である。
【符号の説明】
【００６１】
　　　　１　　掃除機本体
　　　　２　　ホース
　　　　３　　手元パイプ
　　　　３ａ　把手
　　　　４　　補助吸込み体
　　　　５　　延長管
　　　　７　　保持部材
　　　　９　　隙間ノズル
　　　１０　　棚用ブラシ
　　　４１　　内パイプ
　　　４２　　ノズル体
　　　４２ａ　　ノズル体本体部
　　　４２ｂ、４２ｂ′　　ノズル体可動部
　　　４２ｃ、４２ｃ′　　ノズル体スライドボタン
　　　４２ｆ　板バネ
　　　４３　　ブラシ体
　　　４３ｂ、４３ｂ′　　ブラシ体スライドボタン
　　　４４　　パイプカバー
　　　７１　　保持部材第１保持部
　　　７２　　保持部材第２保持部
　　　７３　　保持部材第３保持部
【図１】
2004121879.tif 000003
【図２】
2004121879.tif 000004
【図３】
2004121879.tif 000005
【図４】
2004121879.tif 000006
【図５】
2004121879.tif 000007
【図６】
2004121879.tif 000008
【図７】
2004121879.tif 000009
【図８】
2004121879.tif 000010
【図９】
2004121879.tif 000011
【図１０】
2004121879.tif 000012
【図１１】
2004121879.tif 000013
【図１２】
2004121879.tif 000014
【図１３】
2004121879.tif 000015
【図１４】
2004121879.tif 000016